(57)【要約】【課題】回転体に設けられた表示情報を簡単な構造により照明して表示することができる遊技機の回転表示装置。【解決手段】表面に複数の図柄３２が設けられた回転体２８の本体３０を光透過性材料で形成する。回転体２８を軸線Ｈ回りに回転可能に軸支するとともに、自身が軸線Ｖ回りに回転可能とされた支持部材４６の被軸支部を筒状部５４とする。この筒状部５４内に、ランプ基板７６に実装されたランプ７４を配置して回転体２８の本体３０後方近傍にランプ７４を設ける。【選択図】　　　　図１
2004121725.tif 000002
【特許請求の範囲】
【請求項１】
表示情報が設けられ少なくとも一部が光透過性材料により形成された回転体と、
前記回転体を前側と後側とに分ける回転軸線回りに支持する軸支手段と、
前記回転体の後方に配置され、回転体の前記一部から内部へ照射した光により前記表示情報を照明して前方へ表示させる照明手段と、
を有することを特徴とする遊技機の回転表示装置。
【請求項２】
表示情報が設けられ少なくとも一部が光透過性材料により形成された回転体と、
前記回転体を前側と後側とに分ける第１回転軸線回りに支持する第１軸支手段と、
前記回転体を前記第１回転軸線と交差する第２回転軸線回りに支持する第２軸支手段と、
前記回転体の後方で前記第２回転軸線上に配置され、回転体の前記一部から内部へ照射する光により前記表示情報を照明して前方へ表示させる照明手段と、
を有することを特徴とする遊技機の回転表示装置。
【請求項３】
表示情報が設けられ少なくとも一部が光透過性材料により形成された回転体と、
前記回転体を前側と後側とに分ける回転軸線回りに支持する軸支手段と、
前記回転体の外部で前記回転軸線上に配置され、前記軸支手段の軸支部から回転体の内部へ照射した光により前記表示情報を照明して前方へ表示させる照明手段と、
を有することを特徴とする遊技機の回転表示装置。
【請求項４】
表示情報が設けられ少なくとも一部が光透過性材料により形成された回転体と、
前記回転体を前側と後側とに分ける第１回転軸線回りに支持する第１軸支手段と、
前記回転体を前記第１回転軸線と交差する第２回転軸線回りに支持する第２軸支手段と、
前記回転体の外部で前記第１回転軸線上に配置され、前記第１軸支手段の軸支部から回転体の内部へ照射する光により前記表示情報を照明して前方へ表示させる照明手段と、
を有することを特徴とする遊技機の回転表示装置。
【請求項５】
前記回転体を回転駆動させる駆動手段が回転体の外部に配置されていることを特徴とする請求項１〜請求項４の何れか１項記載の遊技機の回転表示装置。
【発明の詳細な説明】
【０００１】
【発明の属する技術分野】
本発明は遊技機の回転表示装置に係り、詳しくは、抽選図柄等の表示情報が設けられた球体等の回転体に照明による演出効果を加えた遊技機の回転表示装置に関する。
【０００２】
【従来の技術】
パチンコ機やパチスロ機等の遊技機では、抽選時の図柄や各種情報を表示するため、あるいは視覚的な演出効果を高めるためなどに、ドラムや球体等の回転体を用いる回転式の表示装置を搭載した機種がある。
【０００３】
この回転式の表示装置（以下、「回転表示装置」という）には、回転体に照明による演出を加えるため、発光体を回転体内に設けて内側から照明するものがある。その場合の発光体への電力供給には、回転体を軸支する中空回転軸内へ外部から電力供給用配線を挿通させ、回転体内部に設けた点灯用回路基板に配線接続するものや（例えば、特許文献１参照）、外部電源に接続された固定側の一次コイルと、回転体に設けられた回転側の二次コイルとの電磁誘導作用を利用するものがある（例えば、特許文献２参照）。
【０００４】
【特許文献１】
特許第２８８３８５２号　（第８頁、第２１図）
【特許文献２】
特開２００１−１７６３９号公報　（第２‐３頁、第１図、第４図、第５図）
【０００５】
【発明が解決しようとする課題】
しかしながら、上述した特許文献１等に示される従来例では、回転体の回転により接続配線がねじれたり絡み合うことになり、それを回避するためスリップリング等を用いると配線構造が複雑になる。また、特許文献２等に示される従来例も、電磁誘導作用を用いた特殊な電力供給であるため構造が複雑である。
【０００６】
本発明は上記事実を考慮して、複雑な配線構造や特殊な電力供給構造を用いることなく、回転体に設けられた表示情報を簡単な構造により照明して表示することができる遊技機の回転表示装置を提供することを課題とする。
【０００７】
【課題を解決するための手段】
上記目的を達成するために請求項１に記載の発明は、表示情報が設けられ少なくとも一部が光透過性材料により形成された回転体と、前記回転体を前側と後側とに分ける回転軸線回りに支持する軸支手段と、前記回転体の後方に配置され、回転体の前記一部から内部へ照射した光により前記表示情報を照明して前方へ表示させる照明手段と、を有することを特徴としている。
【０００８】
請求項１に記載の発明では、回転体に設けられた表示情報は、軸支手段に支持された回転体が回転体の表示側となる前側と回転体の非表示側となる後側とに分ける回転軸線回りに回転して回転体の前側に位置したときに、回転体の前方にいる遊技者等により外光によって観察される。この回転体の後方に固定的に配置された照明手段が発光すると、回転体の光透過性部位から回転体の内部へ光が照射され、その光により表示情報が照明されて透過光やシルエットにより前方へ表示される。
【０００９】
このように、回転体に設けられた表示情報を照明して表示させる照明手段を回転体の後方に配置することにより、照明用の接続配線等を回転体内へ導く必要がなくなり、照明手段への配線や電力供給構造を簡単にすることができる。また、回転体後方からの照明であるため、回転体内を透過した光により回転体の前側をより明るく照明することができ、例えば、側方等から照明する場合に比べて光量無駄の少ない効率のよい照明が可能となる。
【００１０】
請求項２に記載の発明は、表示情報が設けられ少なくとも一部が光透過性材料により形成された回転体と、前記回転体を前側と後側とに分ける第１回転軸線回りに支持する第１軸支手段と、前記回転体を前記第１回転軸線と交差する第２回転軸線回りに支持する第２軸支手段と、前記回転体の後方で前記第２回転軸線上に配置され、回転体の前記一部から内部へ照射する光により前記表示情報を照明して前方へ表示させる照明手段と、を有することを特徴としている。
【００１１】
請求項２に記載の発明では、回転体が、第１軸支手段に軸支されて第１軸線回りに回転・停止可能とされ、さらに第２軸支手段に軸支されて第１軸線と交差する第２軸線回りに回転・停止可能とされて、それら２つの軸線回りの回転・停止が組み合わせられた複雑な回転動作をする。回転体に設けられた表示情報は、その複雑な回転動作により視覚的な演出効果が高められ、回転体の前側に位置したときに遊技者等に観察される。そして回転体の後方で且つ第２回転軸線上に配置された照明手段が発光すると、回転体の光透過性部位から回転体の内部へ光が照射され、その光によって表示情報が照明され前方へ表示される。
【００１２】
このように、複雑な回転動作を可能として視覚的な演出効果が高められた回転体に対しても、照明手段を回転体の後方に配置して回転体に設けられた表示情報を後方から照明し前方へ表示させることが可能である。これにより、照明手段への配線や電力供給構造が簡単になる。また、回転体後方からの照明により、回転体の前側をより明るく照明することができる。
【００１３】
請求項３に記載の発明は、表示情報が設けられ少なくとも一部が光透過性材料により形成された回転体と、前記回転体を前側と後側とに分ける回転軸線回りに支持する軸支手段と、前記回転体の外部で前記回転軸線上に配置され、前記軸支手段の軸支部から回転体の内部へ照射した光により前記表示情報を照明して前方へ表示させる照明手段と、を有することを特徴としている。
【００１４】
請求項３に記載の発明では、回転体の外部で且つ回転体の回転軸線上に配置された照明手段が発光すると、回転体を軸支する軸支手段の軸支部から回転体の内部へ光が照射される。この軸支部から回転体内への光の照射については、軸支部に貫通孔を形成したり、軸支部を光透過性材料で形成するなどにより可能である。この回転体の内部へ照射される光によって、回転体に設けられた表示情報が照明され前方へ表示される。
【００１５】
このように、回転体の外部から内部への照明による表示情報の表示を軸支手段の軸支部を介して行うことも可能であり、これにより、照明手段への配線や電力供給構造を簡単にすることができる。
【００１６】
請求項４に記載の発明は、表示情報が設けられ少なくとも一部が光透過性材料により形成された回転体と、前記回転体を前側と後側とに分ける第１回転軸線回りに支持する第１軸支手段と、前記回転体を前記第１回転軸線と交差する第２回転軸線回りに支持する第２軸支手段と、前記回転体の外部で前記第１回転軸線上に配置され、前記第１軸支手段の軸支部から回転体の内部へ照射する光により前記表示情報を照明して前方へ表示させる照明手段と、を有することを特徴としている。
【００１７】
請求項４に記載の発明では、第１軸線回り及びその第１軸線と交差する第２軸線回りに回転・停止可能とされて複雑な回転動作をする回転体に設けられた表示情報は、回転体の外部で且つ第１軸線上に配置された照明手段が発光すると、回転体を第１軸線回りに軸支する第１軸支手段の軸支部から回転体の内部へ照射される光により照明されて前方へ表示される。
【００１８】
このように、複雑な回転動作を可能として視覚的な演出効果が高められた回転体に対しても、回転体の外部から内部への照明による表示情報の表示を第１軸支手段の軸支部を介して行うことが可能である。これにより、照明手段への配線や電力供給構造が簡単になる。
【００１９】
請求項５に記載の発明は、請求項１〜請求項４の何れか１項記載の遊技機の回転表示装置において、前記回転体を回転駆動させる駆動手段が回転体の外部に配置されていることを特徴としている。
【００２０】
請求項５に記載の発明では、回転体を回転駆動させるモータ等の駆動手段が回転体内に配置されると、駆動手段が回転体内を透過する光の遮光物となって照明光を弱めてしまうため、駆動手段を回転体の外部に配置し、例えば回転体内を部品が存在しない空洞状態等とすることにより、より多くの光を回転体の前側に導くことができる。
【００２１】
【発明の実施の形態】
以下、図面を参照して本発明の実施の形態を説明する。なお、以下の実施形態では、パチンコ機の遊技盤に搭載されて遊技に関する図柄を表示する球体式の回転表示装置を例に説明する。
【００２２】
［第１の実施形態］
図１には、第１の実施形態に係る回転表示装置を上方から見た水平断面図が示されており、図２及び図３には、回転表示装置を遊技者側（図１の矢印Ｓ方向）から見た正面図が示されている。
【００２３】
図１に示されるように、回転表示装置１０は、パチンコ機本体へセットされる遊技盤Ｐの後面に、装置本体となるベースユニット１２が取り付けられている（取付構造は図示省略）。ベースユニット１２は、後面が開口された矩形箱状の筐体１４を備えており、筐体１４の前面１４Ａには役物ベース１６が設けられ、後面１４Ｂには閉塞板１８が着脱可能に取り付けられている。
【００２４】
役物ベース１６は略半球形の器状とされており、頂部となる後端部に、後方へ突出された断面円形の筒状部２０が一体的に設けられている。筒状部２０の先端部は、筐体１４の前面１４Ａ中央部に形成された孔部２２に嵌合されて固着されており、これによって、役物ベース１６は筐体１４に固定されている。また、正面視円形とされる役物ベース１６の半球開口２４は、前方へ向けられて遊技盤Ｐに形成された貫通孔ＰＨと対応する位置に配置されている。その役物ベース１６の前面周縁部には、遊技盤Ｐと略平行に外側に突出された環状のフランジ２６が形成され、フランジ２６は遊技盤Ｐの後面に近接配置されている。
【００２５】
役物ベース１６内には、球状の回転体（回転表示器）２８が配置されている。回転体２８は、表示側となる前側部分が役物ベース１６の半球開口２４及び遊技盤Ｐの貫通孔ＰＨを介して盤面側に露出され、前端部が盤面よりも少し前方へ突出している。また本実施の形態では、回転体２８が遊技盤Ｐと略平行で回転体２８の中心Ｏを通る水平な軸線Ｈ回り、及び軸線Ｈと中心Ｏで直交する水平な軸線Ｖ回りの２方向に回転するようになっている。
【００２６】
回転体２８は、球体を構成する中空の本体３０が透明又は乳白色等の半透明の光透過性を有する樹脂材料により形成されている。本体３０の表面には、複数の図柄３２が印刷又はラベル等によって設けられており、それら図柄３２は、例えば、軸線Ｖの回りの周方向に所定の間隔で配列されている。図２及び図３には、その中の一つの図柄３２（数字の「７」）が示されている。なお、本実施の形態では、本体３０は成形品とされ、軸線Ｈに沿った径方向で略半球状の２部品に分割される構成となっている。
【００２７】
本体３０の左右側端部には、同軸的に配置された側面視円形の開口３４がそれぞれ形成されている。左側の開口３４には、軸心部に貫通孔３６が形成されたかさ歯車３８が嵌め込まれて固着されており、右側の開口３４には、軸心部に貫通孔３６と同径の貫通孔４０が形成された軸受け部材４２が嵌め込まれ固着されている。これにより、かさ歯車３８と軸受け部材４２とは同軸的に配置されている。
【００２８】
また、かさ歯車３８及び軸受け部材４２の各内壁面は本体３０の内壁面と同じ球面とされており、その接合部はほぼ段差なく繋がれて、回転体２８の内部に球状の空間４４を形成している。貫通孔３６、４０には、支持部材４６に設けられた一対の軸部４８がそれぞれ外側から挿通されている。この一対の軸部４８は、断面円形の筒状とされてそれぞれ軸線Ｈと同軸的に配置されており、外径寸法が貫通孔３６、４０の径寸法よりも僅かに小さくされている。これにより、回転体２８は、かさ歯車３８の貫通孔３６及び軸受け部材４２の貫通孔４０が支持部材４６の一対の軸部４８に軸支されて、軸線Ｈ回りに回転可能とされている。またこの軸線Ｈによって、回転体２８は表示側である前側と非表示側である後側とに分けられている。さらに、回転体２８は後述する駆動力伝達部材４７から回転駆動力を受けて回転するようになっている。
【００２９】
支持部材４６は、役物ベース１６よりも少し小さい略半球形の器状とされており、役物ベース１６内に収容されるよう配置されて回転体２８の後側を覆っている。上述した一対の軸部４８は、支持部材４６内壁面の前端部近傍に一体的に設けられてそれぞれ内方へ突出されている。また、支持部材４６の後端部には、後方へ突出された断面円形の筒状部５０が一体的に設けられている。筒状部５０は、外径寸法が役物ベース１６の筒状部２０の内径寸法よりも僅かに小さくされて筒状部２０に挿通されており、先端側が筒状部２０から後方へ出されてその先端部に平歯車５２が固着されている。これにより、支持部材４６は、筒状部５０が役物ベース１６の筒状部２０に軸支されて軸線Ｖ回りに回転可能とされている。
【００３０】
この支持部材４６と回転体２８の間に、略半球状の駆動力伝達部材４７が配置されている。駆動力伝達部材４７は、後端部に後方へ突出された断面円形の筒状部５４が一体的に設けられている。筒状部５４は、外径寸法が支持部材４６の筒状部５０の内径寸法よりも僅かに小さくされて筒状部５０に挿通されている。筒状部５４の先端側は筒状部５０から後方へ出されており、その先端部に平歯車５２の後方に位置して平歯車５６が固着されている。これにより、駆動力伝達部材４７は、筒状部５４が支持部材４６の筒状部５０を介し役物ベース１６の筒状部２０に軸支されて軸線Ｖ回りに回転可能とされている。また、駆動力伝達部材４７の前端周縁部には歯車部（冠歯車）５８が形成されており、歯車部５８は回転体２８のかさ歯車３８と噛み合っている。
【００３１】
一方、筐体１４内には、２つのステッピングモータ６０、６２が左右側端部にそれぞれ配置されて収納されている。ステッピングモータ６０、６２は、それぞれのモータ軸６４、６６を前方へ向け軸心を軸線Ｖと平行にして、筐体１４の内壁面に設けられた図示しない取付部にそれぞれ取り付けられている。
【００３２】
モータ軸６４、６６には、片面の軸心部に断面円形の凸段部６８が設けられた同じ駆動歯車７０がそれぞれ固着されている。右側に配置されたステッピングモータ６０のモータ軸６４には、駆動歯車７０が凸段部６８を後側とした向きで固着されており、前側に位置する駆動歯車７０の歯車部は支持部材４６の平歯車５２に噛み合っている。左側に配置されたステッピングモータ６２のモータ軸６６には、駆動歯車７０が凸段部６８を前側とした向きで固着されており、後側に位置する駆動歯車７０の歯車部は駆動力伝達部材４７の平歯車５６に噛み合っている。
【００３３】
また、ステッピングモータ６０、６２は、パチンコ機本体に搭載された表示装置制御基板に図示しない配線でそれぞれ接続されており、表示装置制御基板からの制御信号によって個別に回転駆動及び停止されるようになっている。
【００３４】
また、閉塞板１８の内壁面中央部には、所定の間隔で配置された一対のリブ７２が一体的に設けられている。この一対のリブ７２の先端には、照明用の光源となるランプ７４を実装したランプ基板７６が取り付けられている。ランプ７４は、略円柱状とされて軸線Ｖ上（軸線Ｖと同軸的）に配置されている。ランプ７４の先端に設けられた光源部７８は前方へ向けられており、その光源部７８を含むランプ７４の先端側は駆動力伝達部材４７の筒状部５４内に収められている。これにより、ランプ７４の光源部７８は回転体２８の本体３０後方近傍に配置されることになる。また、ランプ基板７６は、上述した表示装置制御基板に図示しない配線で接続されており、ランプ７４の光源部７８は表示装置制御基板から電力が供給されて発光するようになっている。
【００３５】
なお、図１では、図を見やすくするために、役物ベース１６と支持部材４６との間、支持部材４６と駆動力伝達部材４７との間に隙間を設けているが、実際には隙間はなくガタのない状態で接している。また、役物ベース１６の筒状部２０と支持部材４６の筒状部５０との間、支持部材４６の筒状部５０と駆動力伝達部材４７の筒状部５４との間も同様に、隙間のない状態で接している。なお、この軸支部については、支持部材４６及び駆動力伝達部材４７が円滑に回転できるようにするため、各筒状部の間にベアリング等の軸受け部材を設けるようにしてもよい。
【００３６】
次に、本実施形態の作用について説明する。
【００３７】
まず、回転表示装置１０に装備された回転体２８の動作について説明する。表示装置制御基板からの制御信号によりステッピングモータ６０が駆動されてモータ軸６４とともに駆動歯車７０が回転すると、駆動歯車７０に噛合された平歯車５２が回転する。すると、支持部材４６が軸線Ｖ回りに回転し、支持部材４６に支持された回転体２８も支持部材４６とともに軸線Ｖ回り（図１の矢印Ｂ方向）に回転する。このときの回転体２８を正面から見ると、図３に示されるように、図柄３２が時計又は反時計回転方向に回転して見える。
【００３８】
また、この回転時に、ステッピングモータ６２の回転が停止されて駆動力伝達部材４７が静止していると、回転体２８が軸線Ｖ回りに回転するのに伴い、駆動力伝達部材４７の歯車部５８に噛合されたかさ歯車３８が回転して回転体２８は軸線Ｈ回り（図１の矢印Ａ方向）に回転する。これを正面から見ると、図２に示されるように、図柄３２は上方向又は下方向にスクロールして見える。そのため、ステッピングモータ６０のみの回転駆動では、図柄３２が回転と直線移動との組み合わせられた複雑な動きをする。
【００３９】
一方、ステッピングモータ６２が駆動されてモータ軸６６とともに駆動歯車７０が回転すると、駆動歯車７０に噛合された平歯車５６が回転して駆動力伝達部材４７が軸線Ｖ回りに回転する。すると、駆動力伝達部材４７の歯車部５８に噛合されたかさ歯車３８に回転力が伝えられて回転方向が９０度変換され、かさ歯車３８とともに回転体２８が軸線Ｈ回りに回転する。これにより、回転体２８を正面から見ると、図柄３２がスクロールして見える。ただし、軸線Ｈは、支持部材４６の回転・停止角度により正面視方向において傾くため、その傾きに応じて図柄３２のスクロール方向は変化する。
【００４０】
また、図柄３２のスクロールはこのステッピングモータ６２により制御されるため、上述したステッピングモータ６０の回転駆動による図柄３２の回転動作時に、ステッピングモータ６０に同期させてステッピングモータ６２を所定方向に所定速度で回転駆動させることにより、図柄３２をスクロールさせず回転動作のみさせることもできる。
【００４１】
このように、本実施形態の回転表示装置１０では、回転体２８が軸受け部材４２に軸支されて軸線Ｈ回りに回転・停止可能とされ、さらに軸受け部材４２が役物ベース１６に軸支されて軸線Ｈと交差する軸線Ｖ回りに回転・停止可能とされているため、それら２つの軸線回りの回転・停止が組み合わせられた複雑な回転動作をし、それに伴う図柄３２の複数な動きが回転体２８の前側を見る遊技者に観察される。そして、複数の図柄３２のうち、回転体２８の前側で停止された所定の図柄３２が遊技者に視認される。これにより、単純に１つの軸線回りに回転する回転体等に比べて表示態様の視覚的な演出効果が高められる。
【００４２】
また、照明については、表示装置制御基板からの電力供給によりランプ７４の光源部７８が発光すると、光が前方へ放射状に照射される。その光は、光透過性材料とされた回転体２８の本体３０を後方から透過して回転体２８の内部（空間４４）へ照射される。これにより、回転体２８の前面側所定領域（図１の二点鎖線Ｌで示される光照射範囲）が内側から照明されて、図柄３２は前方へ表示される。なお、この図柄３２の表示については、ランプ７４により照明されていない場合でも、外光により視認することができる。
【００４３】
以上説明したように、本実施の形態に係る回転表示装置１０では、交差する２つの軸線回りの回転を組み合わせた複雑な回転動作をする回転体２８に対し、回転体２８に設けられた図柄３２を照明して表示させるランプ７４を回転体２８の後方に固定的に配置したことにより、照明用の接続配線等を回転体内へ導く必要がなくなり、ランプ７４を実装したランプ基板７６への配線や電力供給構造が簡単になる。また、回転体２８後方からの照明であるため、回転体２８内を透過した光により回転体２８の前側をより明るく照明することができ、光量無駄の少ない効率のよい照明が可能となる。さらに、回転体２８を回転駆動させるステッピングモータ６０、６２を回転体２８の外部に配置し、回転体２８内を部品（遮光物）が存在しない空洞状態としたことにより、より多くの光を回転体２８の前側に導くことができる。
【００４４】
［第２の実施形態］
次に、本発明の第２の実施形態について説明する。この第２の実施形態は、照明用光源の位置を変更したものであるが、上記第１の実施形態と同一構成又は同機能部については同じ符合を付してその説明を省略する。
【００４５】
図４に示されるように、第２の実施形態に係る回転表示装置８０は、役物ベース８２内に配置された球状の回転体８４が、回転体８４の中心Ｏを通り遊技盤Ｐに対して傾斜された水平な軸線Ｈ１、及び軸線Ｈ１と中心Ｏで交差する水平な軸線Ｖの２つの軸線回りに回転するようになっている。
【００４６】
この回転体８４も、第１の実施形態と同様に、本体８６が光透過性を有する樹脂材料製とされており、本体８６の表面に複数の図柄３２が設けられている。さらに、本体８６の左側端部に形成された開口３４にはかさ歯車３８が固着され、かさ歯車３８の軸心部に形成された貫通孔３６には、軸線Ｈ１と同軸的に配置された支持部材８８の軸部４８が外側から挿通されている。
【００４７】
一方、開口３４と対向する本体８６の右側端部には、開口３４と同軸的に貫通孔９０が形成されており、この貫通孔９０には、軸線Ｈ１と同軸的に配置された支持部材８８の軸部９２が外側から挿通されている。これにより、回転体８４は、支持部材８８に軸支されて軸線Ｈ１回りに回転可能となっている。またここでは、軸線Ｈ１によって回転体８４が表示側（観察側）である前側と非表示側（機構側）である後側とに分けられている。
【００４８】
支持部材８８については、後端部に設けられた筒状部９４が役物ベース８２の筒状部２０に内装されたベアリング９６に軸支されて、軸線Ｖ回りに回転可能とされている。そして、第１の実施形態と同様に、筒状部９４の先端部に固着された平歯車９８がステッピングモータ６０の駆動歯車７０に噛合され、ステッピングモータ６０により回転駆動されて回転体８４を軸線Ｖ回りに回転させる構成となっている（図４の矢印Ｂ方向）。
【００４９】
駆動力伝達部材１００については、後端部に設けられたストレートの軸部１０２が支持部材８８の筒状部９４に挿通されており、それにより、駆動力伝達部材１００は支持部材８８を介し役物ベース８２に軸支されて軸線Ｖ回りに回転可能とされている。また、第１の実施形態と同様に、軸部１０２の先端部に固着された平歯車１０４がステッピングモータ６２の駆動歯車７０に噛合され、ステッピングモータ６２により回転駆動されて、前端周縁部の歯車部５８からかさ歯車３８に回転力を伝え回転体８４を軸線Ｈ１回りに回転させる構成となっている（図４の矢印Ａ１方向）。
【００５０】
したがって、本実施形態の回転体８４では、第１の実施形態と同じように図柄３２が回転動作する軸線Ｖ回りの回転に加え、軸線Ｈ１回りの回転による図柄３２のスクロールでは、パチンコ機の前方にいる遊技者から見た場合（図４の矢印Ｓ方向）、図柄３２は曲線的に移動して見える。これにより、回転体８４に設けられた複数の図柄３２はより複雑な動きをすることになり、視覚的な演出効果が更に高められる。
【００５１】
また、本実施の形態の役物ベース８２には、内壁面の前端部近傍で支持部材８８の軸部４８と対応する位置に、凹部１０６が設けられている。凹部１０６は軸部４８の移動軌跡に沿った円周形とされている。凹部１０６内には、複数のＬＥＤ１０８を実装したＬＥＤ基板１１０が複数取り付けられており、その複数のＬＥＤ基板１１０は互いに隣接して凹部１０６の周方向に配列されている。これにより、複数のＬＥＤ１０８が円形に配列されて、円環状の照明用光源が構成されている。
【００５２】
また、各ＬＥＤ基板１１０は、第１の実施形態と同様に、表示装置制御基板に図示しない配線で接続されており、各ＬＥＤ１０８は表示装置制御基板から電力が供給されて発光するようになっている。
【００５３】
以上の構成により、第２の実施形態に係る回転表示装置８０では、ＬＥＤ基板１１０のＬＥＤ１０８が発光すると、光が軸線Ｈ１に沿って支持部材８８の軸部４８側に照射される。その光は、筒状とされた軸部４８の空洞部を通り後方側から回転体８４の内部へ照射される。これにより、回転体８４の前面側が内側から照明されて、回転体８４（本体８６）に設けられた図柄３２は前方へ表示される。
【００５４】
このように、直交しない２つの軸線回りに回転してより複雑な動きをする回転体８４に対しても、回転体８４の外部から内部への照明による図柄３２の表示を、支持部材８８の軸部４８を介して行うことが可能である。これにより、ＬＥＤ１０８を実装したＬＥＤ基板１１０への配線や電力供給構造が簡単になる。
【００５５】
以上、本発明を上述した特定の実施形態により詳細に説明したが、本発明はそれに限定されるものではなく、本発明の範囲内にて他の種々の実施形態が可能である。
【００５６】
例えば、第１の実施の形態では、照明用の光源を回転体２８の後方近傍に配置するために、駆動力伝達部材４７の被軸支部を筒状部５４として筒状部５４内にランプ７４を配置しているが、ランプ７４の配置はこれに限定されるものではない。例えば、駆動力伝達部材４７及びその被軸支部を光透過性材料で形成すれば、ランプ７４を被軸支部の後方に配置しランプ７４からの光を被軸支部を透過させて回転体２８の後側に照射させることもできる。
【００５７】
また、第２の実施の形態では、ＬＥＤ１０８からの光を回転体８４の内部に導くために、支持部材８８の軸部４８を筒状としているが、この軸部４８を光透過性材料で形成することにより中実の軸部等とすることができる。ＬＥＤ１０８の発光制御については、全てのＬＥＤ１０８を単純に発光／非発光させることで制御方法を簡単にすることができるが、移動する軸部４８の位置に応じて対応するＬＥＤ１０８のみを発光させることも可能である。また、回転体８４の前側をより明るく照明するため、例えば、軸部４８と対向する軸部９２の先端部にミラー等を取り付け、後側の側方寄りから回転体８４内へ入射された光を前方へ反射させるようにしてもよい。
【００５８】
また、回転表示装置に装備される回転体については、第１及び第２実施の形態のような２つの軸線回りに回転する球体に限らず、１つの軸線回りに回転する球体やドラム等の他の回転体とすることもできる。
【００５９】
また、本発明は、パチンコ機に限らずパチスロ機等の他の遊技機に搭載される回転表示装置にも適用することがきる。
【００６０】
【発明の効果】
本発明の遊技機の回転表示装置は上記構成としたので、複雑な配線構造や特殊な電力供給構造を用いることなく、回転体に設けられた表示情報を簡単な構造により照明して表示することができる。
【図面の簡単な説明】
【図１】本発明の第１の実施形態に係る回転表示装置を示した上方から見た水平断面図である。
【図２】本発明の第１の実施形態に係る回転表示装置の正面図であり、回転体の回転による図柄の回転動作を示している。
【図３】本発明の第１の実施形態に係る回転表示装置の正面図であり、回転体の回転による図柄のスクロール動作を示している。
【図４】本発明の第２の実施形態に係る回転表示装置を示した上方から見た水平断面図である。
【符号の説明】
１０　　　　回転表示装置
１６　　　　役物ベース（請求項２の第２軸支手段）
２８　　　　回転体
３０　　　　本体（一部）
３２　　　　図柄（表示情報）
４４　　　　空間（内部）
４６　　　　支持部材（請求項１の軸支手段／請求項２の第１軸支手段）
４８　　　　軸部（軸支部）
６０、６２　ステッピングモータ（駆動手段）
７４　　　　ランプ（照明手段）
７６　　　　ランプ基板（照明手段）
８０　　　　回転表示装置
８２　　　　役物ベース（請求項４の第２軸支手段）
８４　　　　回転体
８６　　　　本体（一部）
８８　　　　支持部材（請求項３の軸支手段／請求項４の第１軸支手段）
１０８　　　　ＬＥＤ（照明手段）
１１０　　　　ＬＥＤ基板（照明手段）
Ｈ　　　　（請求項１の回転軸線／請求項２の第１回転軸線）
Ｈ１　　　（請求項３の回転軸線／請求項４の第１回転軸線）
Ｖ　　　　（第２回転軸線）
【図１】
2004121725.tif 000003
【図２】
2004121725.tif 000004
【図３】
2004121725.tif 000005
【図４】
2004121725.tif 000006